(57)【要約】【課題】  軒先における落雪防止と融雪促進を実現させるとともに家屋の美観を害しない画期的な器材を提供することを目的とする。【解決手段】  本発明は、本体１は、水平部と垂直部と傾斜部から成る側面略直角三角形状に曲折した多数の線材４から成る前方の開口部２及びこの開口部の前記水平部と傾斜部の間で接続する後方の網体部３、または前記前方開口部を構成する水平部線材を後方に延長して構成した水平線材部から成り、前記前方開口部の内部に任意の線材からガード部５を設け、前記本体の前方開口部及び後方網体部の左右両側端部と後側端部の底面部下方には間隔部を置いて基杆７，７'を設け、前記前方開口部及び後方網体部から成る本体の底面部左右両側部にそれぞれ筋交い杆１０を設け、前記本体左右両側部の基杆前端にフック部１５，１５を突設して成るものである。【選択図】    図１
2006207234.tif 000002
【特許請求の範囲】
【請求項１】
本体は、水平部と垂直部と傾斜部から成る側面略直角三角形状に曲折した多数の線材から成る前方の開口部及びこの開口部の前記水平部と傾斜部の間で接続する後方の網体部から成り、前記前方開口部の内部に任意形態の線材から成るガード部を設け、前記本体の前方開口部及び後方網体部の左右両側端部と後側端部の底面部下方には間隔部を置いて基杆を架設し、前記前方開口部及び後方網体部から成る本体の底面部左右両側部にそれぞれ筋交い杆を張設し、前記本体左右両側部の基杆前端にフック部を突設して成る軒先融雪器。
【請求項２】
本体の左右両側端部と後側端部の間隔部の開口部側の基杆上に台杆をそれぞれ設け、この左右両側部台杆間にはその前後に阻止杆を，前記基杆上には中阻止杆をそれぞれ架設して成る請求項１に記載した軒先融雪器。
【請求項３】
前方開口部及び後方網体部から成る本体の底面部に波板材を設置して成る請求項１に記載した軒先融雪器。
【請求項４】
後方網体部が菱目金網によって構成して成る請求項１に記載した軒先融雪器。
【請求項５】
本体は、水平部と垂直部から成る側面略直角三角形状に曲折した多数の線材から成る前方の開口部及びこの開口部を構成する水平部線材を後方に延長し構成した水平線材部から成り、前記前方開口部の内部に任意形態の線材から成るガード部を設け、前記本体の前方開口部及び後方水平線材部の左右両側端部と後側端部の底面部下方には間隔部を置いて基杆を架設し、前記前方開口部および後方水平線材部から成る本体の底面部左右両側部にそれぞれ筋交い杆を張設し、前記本体左右両側部の基杆前端にフック部を突設して成る軒先融雪器。
【請求項６】
本体の左右両側端部と後側端部の間隔部の前方開口部側の基杆上に台杆をそれぞれ設け、この左右両側部台杆間にはその前後に阻止杆を，前記基杆上には中阻止杆をそれぞれ架設して成る請求項５に記載した軒先融雪器。
【請求項７】
前方開口部及び後方水平線材部から成る本体の底面部に波板材を設置して成る請求項５に記載した軒先融雪器。
【請求項８】
適当巾と長さと高さから成る線材による器体を設け、この器体を本体の後側端部に係合して瓦棒屋根の所定位置に設置する請求項１に記載した軒先融雪器。
【請求項９】
適当巾と長さと高さから成る線材による器材を設け、この器材を本体の後側端部に係合して瓦棒屋根の所定位置に設置する請求項５に記載した軒先融雪器。
【発明の詳細な説明】
【技術分野】
【０００１】
本発明は、軒先融雪器に関するものである。
【背景技術】
【０００２】
本発明の発明者は、軒先融雪器として従来公知となっていた実用新案登録第２５１２７５０号や実用新案登録第３００６５３３号の各考案が、軒先からの落雪防止機能を有することは認められても、迅速に融解しない欠点のあることから、これを改良し落雪防止とともに融解促進を目的とした特許第３５１０５２１号に係る発明を実施化している。
【０００３】
しかしながら、従来の軒先融雪器にあっては、急勾配の屋根面に積雪がある場合は、軒先を乗り越えて落下する事故が起こっていたし、また軒先融雪器を設置することによって、屋根を含む住宅の美観を損ねる場合があり、長年の技術的課題となっていた。
【０００４】
【特許文献１】実用新案登録第２５１２７５０号公報
【特許文献２】登録実用新案第３００６５３３号公報
【特許文献３】特許第３５１０５２１号公報
【発明の開示】
【発明が解決しようとする課題】
【０００５】
そこで、本発明は従来から有するこれらの軒先融雪器材が有する欠点を除去し、軒先における落雪防止と融雪促進を実現させるとともに家屋の美観を害しない画期的な器材を提供することを目的とするものである。
【課題を解決するための手段】
【０００６】
本体は、水平部と垂直部と傾斜部から成る側面略直角三角形状に曲折した多数の線材から成る前方の開口部及びこの開口部の前記水平部と傾斜部の間で接続する後方の網体部、または前記前方開口部を構成する水平部線材を後方に延長して構成した水平線材部から成り、前記前方開口部の内部に任意の線材からガード部を設け、前記本体の前方開口部及び後方網体部の左右両側端部と後側端部の底面部下方には間隔部を置いて基杆を設け、前記前方開口部及び後方網体部から成る本体の底面部左右両側部にそれぞれ筋交い杆を設け、本体の左右両側端部と後側端部の間隔部の前方開口部側の基杆上に台杆をそれぞれ設け、この左右両側台杆間にはその前後に阻止杆を，前記基杆上には中阻止杆をそれぞれ架設し、前記本体左右両側部の基杆前端にフック部を突設して成るものである。
【発明の効果】
【０００７】
第１に、いずれの実施例の器体であっても、器体全体は比較的小型かつ軽量であるから、屋根の軒先部における設置工事を迅速かつ確実に行うことができる。
【０００８】
第２に、器体全体の左右両側部に筋交い部を設置したから、急勾配屋根への積雪荷重にも十分耐えることができる。
【０００９】
第３に、略直角三角形状に側面部を構成した開口部全体の内部にはガード部を内在せしめているから、急勾配屋根による滑落雪を確実に阻止することができる。
【００１０】
第４に、この滑落雪は、本体部と左右両側部の基杆との間に形成する間隔部において傾斜面に対し上下前後の三段階に架設した各阻止杆に分散されることによって確実に阻止することができる。
【００１１】
第５に、前記間隔部は屋根面と本体部との間に形成しているから、この部分が空気の流通層となって空気を循環し融雪効果を高めることができる。
【００１２】
第６に、開口部の後半部を菱目金網の網体部で構成したものにあっては、全体に弾性作用が働くことによって降雪の停止効果と融雪効果が抜群となる。
【００１３】
第７に、本体の左右両側部のフック部が本体から外方に突設し軒先に掛止められることから、雪解け水と雨水は、急勾配の屋根に対しても確実に雨樋に収集することができる。
【００１４】
第８に、瓦棒屋根の軒先部においても、器体を安定して設置することができる。
【発明を実施するための最良の形態】
【００１５】
急勾配屋根の積雪荷重に対しても十分抵抗力を発揮するために、本体全体の左右両側部に筋交い部を設けている。
【００１６】
急勾配屋根による滑落雪に対して十分抵抗して阻止するために、本体のうち前方開口部の内部にガード部を設けている。
【００１７】
滑落雪を阻止するために、前方開口部においては複数の阻止片を架設している。
【００１８】
融雪効果を高めるために、本体部と屋根面との間に形成する間隔部が空気の流通層となり空気の循環を起すようにする。
【００１９】
工場などの瓦棒葺の大屋根においても、本器材を介在せしめることによって、安定状態に設置するようにしている。
【実施例】
【００２０】
軒先部に設置する本体１は、水平部と垂直部と傾斜部から成る側面略直角三角形状に曲折した線材から成る前方の開口部２と、この開口部の前記水平部と傾斜部の接点で接続する後方の網体部３とから成る。
【００２１】
前記側面略直角三角形状に成る前方開口部２は、等間隔をおいて多数の線材４・・によって構成されるが、この前方開口部２の内部には後記する任意形態に成るガード部５を設置する。
【００２２】
前記後方網体部３は立体形状に成る菱目金網によって構成し、この後方網体部３と前記前方開口部２とはその中間部で一体に接続し、その左右両側端部と後側端部の底面部に前記後方網体部と前方開口部の水平部から下方に間隔部６，６，６'を置いて基杆７，７，７'を設け、また後方網体部の後側端部の中央部と前記開口部２の垂直部の底面部の下方にも間隔部８を置いて中基杆９を設ける。
【００２３】
前記前方開口部２と後方網体部３とから成る本体１の底面部には、その左右両側部に２本の筋交い杆１０，１０を張設する。
【００２４】
前記本体１の左右両側端部と後側端部の間隔部６，６の開口部２側の基杆７上には台杆１１，１１，１１'を設け、この左右両側の台杆１１，１１間にはその前後に阻止杆１２，１２を，前記基杆７，７上には中阻止杆１３をそれぞれ架設し、さらに前記開口部２の線材４の垂直部と水平部との角部の左右両側部間には前阻止杆１４を架設する。このような各阻止杆１２，１２，１３，１４の架設は、滑落しようとする積雪を、三段階の落差に分散することによって阻止するものである。
【００２５】
前記本体１の前方開口部２及び後方網体部３下方の基杆７，７，７'との間に形成した間隔部６，６，６'は、屋根面との間の空気層となり、空気の循環部を形成するようになる。
【００２６】
前記左右両側の基杆７，７の前端部にはフック部１５，１５を突設する。
【００２７】
前記前方開口部２の内部に設けたガード部５は落雪防止のための部材であるが、この部材の形態には実施例として各種のものが考えられる。
【００２８】
即ち、図１乃至図４の実施例では菱目金網材５ａで構成し、図６及び図７の実施例では垂直線材５ｂで構成し、図８の実施例では斜め線材５ｃで構成する。
【００２９】
図９の実施例の構成は、本体１が、前記構成の前方開口部２とこの開口部を構成する水平部線材を後方に延長して構成した水平線材部から成り、このように成る本体の底面部全面に波板材１６を設置したものである。
【００３０】
前記波板材１６は、図１及び図４に示した実施例における後方網体部３から成る本体１の底面部においても設置してよい。
【００３１】
工場等の瓦棒屋根において本発明器を取付ける場合には、図１０に示すような器材１７，１７を図１１に示すような状態に配置し、このような器材を介在して本発明器を設置するものである。
【００３２】
この器材１７は、線材を適当巾と長さと高さに構成した枠体１８と，その前後両側部に網部１９，１９を設けるとともに一網部１９の左右両側部にフック２０，２０を設けて成るもので、このフックを上向きにして前記本体１の後側端部の基杆７'の左右両側部にそれぞれ掛止めて、瓦棒屋根の所定の凹部分に配置する。
【図面の簡単な説明】
【００３３】
【図１】一例の全体の平斜視図
【図２】図１例の全体の底斜視図
【図３】図１例の全体の正面図
【図４】図１例の全体の側面図
【図５】図１例の要部の平斜視図
【図６】他例の全体の平斜視図
【図７】図６例の要部の底斜視図
【図８】他々例の全体の平斜視図
【図９】他々々例の全体の平斜視図
【図１０】瓦棒屋根用器材の斜視図
【図１１】瓦棒屋根に設置した全体の斜視図
【符号の説明】
【００３４】
１                    本体
２                    前方開口部
３                    後方網体部
４・・                線材
５                    ガード部
５ａ                  菱目金網材
５ｂ                  垂直線材
５ｃ                  斜め線材
６，６，６'          間隔部
７，７，７'          基杆
８                    間隔部
９                    中基杆
１０，１０            筋交い杆
１１，１１，１１'    台杆
１２，１２            阻止杆
１３                  中阻止杆
１４                  前阻止杆
１５，１５            フック部
１６                  波板材
１７                  瓦棒屋根用器材
２０，２０            器材フック
【図１】
2006207234.tif 000003
【図２】
2006207234.tif 000004
【図３】
2006207234.tif 000005
【図４】
2006207234.tif 000006
【図５】
2006207234.tif 000007
【図６】
2006207234.tif 000008
【図７】
2006207234.tif 000009
【図８】
2006207234.tif 000010
【図９】
2006207234.tif 000011
【図１０】
2006207234.tif 000012
【図１１】
2006207234.tif 000013